(57)【特許請求の範囲】
【請求項１】
試験対象のデバイスを定められた試験項目で試験し、不良と判定された段階で該デバイスを棄却する試験に対して、該試験項目の実施順序を決定する試験順序決定方法であって、
コンピュータが、
前記デバイスから所定数を取り出して全ての前記試験項目に対してパイロット試験を行い、該パイロット試験で得られた不良率と試験時間とを記憶した記憶部を参照し、該不良率と該試験時間の逆数との積で算出される個別指標を該試験項目毎に求める個別指標算出手順と、
全ての試験項目の中から、試験結果が類似性を示す相関関係にある試験項目をそれぞれグループ化するグルーピング手順と、
前記グループ内の試験項目の個別指標を合算したグループ指標を該グループ毎に求めるグループ指標算出手順と、
前記グループ指標と前記グループに属さない試験項目の個別指標とを混在して指標の値の大きい順序に並べ、該順序により該指標に該当するグループまたは該グループに属さない試験項目の試験を行なうこととする試験順序を決定し、該グループ内の試験項目に対しては個別指標の値が大きな順序で試験を行なうこととする試験順序を決定する試験順序決定手順と
を実行することを特徴とする試験順序決定方法。
【請求項２】
前記相関関係は、一方の試験項目での不良率が高い場合に他方の試験項目での不良率も高いことを特徴とする請求項１に記載の試験順序決定方法。
【請求項３】
試験対象のデバイスを定められた試験項目で試験し、不良と判定された段階で該デバイスを棄却する試験に対して、該試験項目の実施順序を決定する試験順序決定装置であって、
前記デバイスから所定数を取り出して全ての前記試験項目に対してパイロット試験を行い、該パイロット試験で得られた不良率と試験時間とを記憶した記憶部と、
前記記憶部に記憶した前記不良率と前記試験時間とを用いて、該不良率と該試験時間の逆数との積で算出される個別指標を前記試験項目毎に求める個別指標算出手段と、
全ての試験項目の中から、試験結果が類似性を示す相関関係にある試験項目をそれぞれグループ化するグルーピング手段と、
前記グループ内の試験項目の個別指標を合算したグループ指標を該グループ毎に求めるグループ指標算出手段と、
前記グループ指標と前記グループに属さない試験項目の個別指標とを混在して指標の値の大きい順序に並べ、該順序により該指標に該当するグループまたは該グループに属さない試験項目の試験を行なうこととする試験順序を決定し、該グループ内の試験項目に対しては個別指標の値が大きな順序で試験を行なうこととする試験順序を決定する試験順序決定手段と
を有することを特徴とする試験順序決定装置。
【請求項４】
試験対象のデバイスを定められた試験項目で試験し、不良と判定された段階で該デバイスを棄却する試験に対して、該試験項目の実施順序を決定する試験順序決定プログラムであって、
コンピュータに、
前記デバイスから所定数を取り出して全ての前記試験項目に対してパイロット試験を行い、該パイロット試験で得られた不良率と試験時間とを記憶した記憶部を参照し、該不良率と該試験時間の逆数との積で算出される個別指標を該試験項目毎に求める個別指標算出手順と、
全ての試験項目の中から、試験結果が類似性を示す相関関係にある試験項目をそれぞれグループ化するグルーピング手順と、
前記グループ内の試験項目の個別指標を合算したグループ指標を該グループ毎に求めるグループ指標算出手順と、
前記グループ指標と前記グループに属さない試験項目の個別指標とを混在して指標の値の大きい順序に並べ、該順序により該指標に該当するグループまたは該グループに属さない試験項目の試験を行なうこととする試験順序を決定し、該グループ内の試験項目に対しては個別指標の値が大きな順序で試験を行なうこととする試験順序を決定する試験順序決定手順と
を実行させるための試験順序決定プログラム。
【請求項５】
試験対象のデバイスを定められた試験項目で試験し、該試験項目の内の特定の試験項目で不良と判定された場合のデバイスは再試験を行い、該特定以外の試験項目で不良と判定された場合は棄却する試験に対して、該試験項目の実施順序を決定する試験順序決定方法であって、
コンピュータが、
前記試験対象の全てのデバイスに対して実施する試験の順序を決定する通常試験順序手順と、再試験対象のデバイスに対して実施する試験の順序を決定する再試験順序手順とを実行し、
前記通常試験順序手順は、
前記デバイスから所定数を取り出して全ての前記試験項目に対してパイロット試験を行い、該パイロット試験で得られた不良率と試験時間とを記憶した記憶部を参照し、該不良率と該試験時間の逆数との積で算出される個別指標を該試験項目毎に求める個別指標算出手順と、
全ての試験項目の中から、試験結果が類似性を示す相関関係にある試験項目をそれぞれグループ化するグルーピング手順と、
前記グループ内の試験項目の個別指標を合算したグループ指標を該グループ毎に求めるグループ指標算出手順と、
前記グループ指標と前記グループに属さない試験項目の個別指標とを混在して指標の値の大きい順序に並べ、該順序により該指標に該当するグループまたは該グループに属さない試験項目の試験を行なうこととする試験順序を決定し、該グループ内の試験項目に対しては個別指標の値が大きな順序で試験を行なうこととする試験順序を決定する試験順序決定手順とからなり、
前記再試験順序手順は、
予め再試験項目と設定された特定の試験項目を１つの再試験グループとし、該特定の試験項目以外の試験項目について前記グルーピング手順でグルーピングを行う再試験グルーピング手順と、
前記再試験グループを除いたグループに対し、前記グループ指標算出手順を実施し、該再試験グループを試験順序の先頭とし、該再試験グループを除いたグループとグルーピングされなかった試験項目とに対し前記試験順序決定手順を実施し、該再試験グループ内の試験項目に対しては個別指標の値が大きな順序で試験を行なうこととする試験順序を決定するする再試験順序決定手順とからなる
ことを特徴とする試験順序決定方法。
【発明の詳細な説明】
【技術分野】
【０００１】
デバイスの試験順序決定に関し、より詳細には半導体や磁気ヘッドなどのデバイスの試験が複数の試験項目からなる場合に、製造ロット毎の試験項目に対する不良率変動に起因する試験のスループット低下を防ぐための試験順序最適化に関するものである。
【背景技術】
【０００２】
半導体素子や磁気ディスク装置に用いられる磁気ヘッド素子など大量に製造されるデバイスの試験においては複数の項目について試験を行い、すべての試験項目に合格すると良品として出荷されるのが一般的である。そしてこのような場合に、試験項目毎に試験を行うのではなく、１つのデバイスに対して複数の項目を定められた順序で試験することが行われている。さらにここで、複数の試験項目に対して一通りの試験を課し、各項目ごとの良否判定結果に関係なく総合的に合否を判断する方式と、試験項目で良品と判定された場合に次の試験項目へと進み、全ての試験項目において合格となった場合にのみ合格とする方式とがある。
【０００３】
前者の方式は一般にパイロット試験と呼ばれ、デバイスの特性および不良要因を把握するために行われることが多い。図８にパイロット試験の方法を示す。全ての試験項目（ここではＡ−Ｊまでの試験項目）について良・不良に係わらず試験を行うため、各試験項目毎の不良率および試験時間を求めることが可能である。一方後者の方式は、量産したデバイスに対する出荷試験で行われる。図９は、その試験方法をフローチャートで示したものある。すなわち、不良と判定された時点で、そのデバイスに対する試験は打ち切りとなり、次のデバイスの試験を開始する。これは試験時間の損失を最小とし、浪費を防ぐ効果がある。しかしながら、どの試験項目で不良となるかは製造ロットによって異なり、事前に知ることは不可能で試験時間の浪費をどのくらい防ぐことが可能か見積もることは困難である。
【０００４】
例えば、最初の試験項目において不良と判定された場合には、それ以降の試験時間を節約することができるが、一番最後の試験項目において不良と判定された場合は、それより以前の試験項目に要した時間は無駄になってしまう。もし、最後の試験項目で不良になることが分かっているならば、その試験項目を最初に試験することで、試験時間の浪費を防ぐことができることになる。しかし、どの試験項目で不良になるかはデバイスの製造ロット毎に異なり、予測は困難である。
【０００５】
このため、試験順序は担当者の経験に基づいて不良率の高いものから、そして同程度の不良率なら試験時間の少ないものから順番を定めているのが一般的である。このようにして決められた試験順序も、一度その順序を決めてしまうと余程のことがない限り順序の変更を行うことはないのが現状である。これらの理由は、どのような基準で試験順序を決定するかの評価指標がないことや、試験順序の決定に時間を要することなどに起因する、と考えられる。
【０００６】
上述した試験の方法以外に、特定の試験項目で不良となった場合にその試験対象に対して再試験を実施する試験方法がある。これは、試験において計測された値の精度が微妙であった場合に再試験とする場合がある。この場合においては、例えば最初の試験では不良と判定して以降の試験の実施はしないが、その試験項目が特定の試験項目であったとき再試験を実施するものである。
【０００７】
最適な試験順序を自動決定する方法として、試験項目毎に計測された不良発生頻度と試験に要する時間とを基に、試験順序を決定してその検査フローをプログラミングした制御プログラムを自動生成する提案がなされている（例えば、特許文献１）。
【特許文献１】特開平５−２９７０６５号公報
【発明の開示】
【発明が解決しようとする課題】
【０００８】
上記に述べたように、試験順序は試験担当者の経験に基づいて不良率の高いものから、そして試験時間の少ないものから順番に行うようにしており、しかも固定化されていた。このため、製造ロットによって不良原因が変動する場合には必ずしも合理的な試験順序となっておらず問題であった。さらに、従来の方法において試験項目の間に相関関係がある場合については考慮が払われていなかった。
【０００９】
相関関係にあるとは、例えば試験項目Ａが不良となった場合に、試験項目Ｂも不良となるといった関係のことである。相関関係について、図１０を用いてより詳細に説明する。図１０（ａ）は試験項目Ａと試験項目Ｂのデータの分布を示しており、試験項目Ａのデータ値に対して試験項目Ｂのデータ値に相関性は見られない。これに対して、図１０（ｂ）は試験項目Ａと試験項目Ｃのデータの分布を示しており、この場合は試験項目Ａのデータ値が大きいと試験項目Ｃのデータ値も大きく、相関関係にあることを示している。このような場合に、一般に不良率は一方の試験項目が高い場合に他方も高い傾向が見られる。ただし、相関関係にあるからといって一方の試験項目が不良であっても必ずしも他方の試験項目で不良となるわけではなく、不良になる確率が高いということである。また、例えば試験項目Ａと試験項目Ｃの間だけでなく他の試験項目間においても別の要因でそれらの間の相関関係があり得る。試験順序の決定においては、このような相関関係を考慮することでより試験のスループット向上が期待できる。また、従来において再試験を行う場合の試験に対して、合理的に試験順序を決定する方法がなかった。
【００１０】
特許文献１で提案された方法は、不良発生頻度分類と試験時間との情報を基に試験順序を自動的に定め、制御プログラムを生成するものである。製造ロットによって変動する不良率にも対応でき効果的に試験順序を定めることができるが、ここでも試験項目の相関関係については考慮されていない。
【００１１】
本発明は、試験項目間の相関関係に着目して試験順序の最適解を得て試験のスループットを向上させる試験順序決定方法、試験順序決定装置および試験順序決定プログラムを提供することを目的とする。また、再試験を行う場合についても最適な試験順序を決定する方法を提供する。
【課題を解決するための手段】
【００１２】
本発明の試験順序決定方法、試験順序決定装置および試験順序決定プログラムは、以下のように構成される。
（１）第１の発明
第１の発明は、不良と判定されたときそれ以降の試験を実施しない試験で、相関関係にある試験項目をグルーピングを行い、そのグループとグルーピングされなかった試験項目（即ち、相関関係のない単独の試験項目）との試験順序を決定する方法である。
【００１３】
図１は第１の発明の原理を示すもので、個別指標算出手順１０、グルーピング手順２０、グループ指標算出手順３０および試験順序決定手順４０から構成する。
【００１４】
個別指標算出手順１０は、それぞれの試験項目に対する不良率と試験時間とに基づいて、個別指標を該試験項目毎に求めることを行う。個別指標は試験順序を判定する指標である。また、試験項目に対する不良率と試験時間は予め計測されているものである。
【００１５】
グルーピング手順２０は、全ての試験項目の中から相関関係にある試験項目が指定され、その指定された試験項目をグループ化する。グループは１つ以上作られる。
【００１６】
グループ指標算出手順３０は、個別指標算出手順１０で求めたグループ内の試験項目の個別指標を基に、グループ指標をグループ毎に求める。グループ指標は、グループとして試験順序を判定する指標である。
【００１７】
試験順序決定手順４０は、グループに対してはグループ指標を、グルーピングされなかった試験項目に対しては個別指標を用いてグループとグルーピングされなかった試験項目とを混在して試験順序を決定する。そして、グループ内の試験項目の順序に対しては個別指標を基に試験順序を決定する。
【００１８】
第１の発明によれば、相関関係にある試験項目のグループと相関関係を持たない単独の試験項目とがそれぞれに定められた指標により混在して試験順序を決定するので、相関関係にあるグループを纏めて適切な試験順序において試験を行うことができる。
（２）第２の発明
第２の発明は、試験項目に対する不良率と試験時間は、試験対象のデバイスから所定数を取り出し、全ての試験項目について試験を行った結果であるパイロットデータによるものである。
【００１９】
第２の発明によれば、製造ロットによって不良原因が異なっても、パイロット試験を行った結果のデータが反映された試験順序の決定ができる。
（３）第３の発明
第３の発明は、第１の発明における試験順序決定装置である。
（４）第４の発明
第４の発明は、第１の発明における試験順序決定プログラムである。
（５）第５の発明
第５の発明は、特定の試験項目で不良と判定されたデバイスについては再試験を行い、特定以外の試験項目では不良と判定されたデバイスを棄却する試験の試験順序を決定する方法で、図２はその発明の原理を説明する図である。
【００２０】
図２に示すように、第５の発明は通常試験順序手順１と再試験順序手順２とから構成し、通常試験順序手順１は全てのデバイスに対して実施する試験の順序を決定するもので、再試験順序手順２は再試験対象のデバイスに対して実施する順序を決定するものである。
【００２１】
通常試験順序手順１は、第１の発明の試験順序決定方法と同一である。従って、ここでの説明は重複するので省略する。
【００２２】
再試験順序手順２は、再試験グルーピング手順５０と再試験順序決定手順６０とから構成し、再試験グルーピング手順５０は、全ての試験項目の中から特定の試験項目が指定され、その指定された試験項目を再試験グループとする。そして、特定の試験項目以外の試験項目については通常試験順序決定手順１に示されたグルーピング手順２０でグルーピングを行う。
【００２３】
再試験順序決定手順６０は、再試験グループを除いたグループに対して通常試験順序手順１に示されたグループ指標算出手順３０を実施し、再試験グループを試験順序の先頭とし、その再試験グループを除いたグループとグルーピングされなかった試験項目とに対し通常試験順序手順１に示された試験順序決定手順４０を実施する。そして、再試験グループ内の試験項目に対しては個別指標により試験順序を決定する。
【００２４】
第５の発明によれば、再試験対象のデバイスに対して、再試験グループの試験項目の試験を先ず実施し、以降は相関関係を考慮した試験順序で試験の実施を行うことができるため、試験精度が微妙な場合にまずそれらの試験項目について再試験を実施する最適な試験順序を決定できる。
【発明の効果】
【００２５】
第１の発明により、相関関係にある試験項目を考慮した最適な試験順序を自動決定する方法の提供ができる。
【００２６】
第２の発明により、パイロット試験の結果に基づいて個別指標を定めているので、製造ロットによって不良原因が異なってもそれらを反映した試験順序を自動決定する方法の提供ができる。。
【００２７】
第３の発明により、第１の発明と同様の効果のある最適な試験順序を決定する試験順序決定装置の提供ができる。
【００２８】
第４の発明により、第１の発明と同様の効果のある最適な試験順序を決定する試験順序決定プログラムの提供ができる。
【００２９】
第５の発明により、再試験を行う試験においても、再試験グループの試験項目と相関関係のグループの試験項目、および独立した試験項目との間で最適な試験順序を決定する試験順序決定方法の提供ができる。
【発明を実施するための最良の形態】
【００３０】
本発明の実施例を図３から図６を用いて説明する。
【００３１】
図３は、本発明の試験順序決定プログラムを搭載した試験装置と入出力装置および被試験デバイスの関係を示した全体の構成例を示すものである。試験装置１００は、試験順序決定プログラムを搭載し、他の装置とデータの遣り取りやコマンドによる指令を行う制御装置１１０、パイロット試験結果である試験項目に対する不良率と試験時間などのデータなどを格納する外部記憶装置１３０およびデバイスの試験を行う測定装置１４０からなる。また、試験装置１００は試験結果などを表示する出力装置２００、試験担当者によって試験開始の指示や相関関係にある試験項目や再試験項目を指示されるための入力装置３００と接続している。また、被試験デバイス４００は例えば試験対象の磁気ヘッド素子で、測定装置１４０により種々の試験項目が計測される。図３は、本発明に係わる試験順序決定に関係する部分を表し、試験装置本来の試験そのものに係わる部分は省略してある。また、第３の発明として掲げた試験順序決定装置は、図３の制御装置１１０に相当する。
【００３２】
次に、図４を用いて、試験順序を決定する方法を説明する。図４に示すようにここでの実施例においては試験項目がＡ−Ｖまであるものとする（四角が囲んだＡ−Ｖが試験項目である）。このそれぞれの試験項目に対する不良率と試験時間を試験項目の上部に掲げている。そして、個別指標を下記の式で求め、その結果を併せて示している。
【００３３】
個別指標＝不良率×１０／試験時間      
例えば、試験項目Ａの不良率は２で試験時間は１で、個別指標は上記の式から２０が求まる。なお、不良率と試験時間の単位はそれぞれ“％”と“秒”である。
【００３４】
次に、相関関係にある試験項目をグルーピングする。図４の試験項目の下に線で結ばれているのが相関関係にあるものとする。例えば、試験項目Ａ、Ｆ、Ｌ、Ｐは相関関係にある。また、試験項目Ｃ、Ｈ、Ｊ、Ｎ、Ｒ、Ｓ、さらに試験項目Ｄ、Ｉ、Ｊ、Ｏ、Ｔもそれぞれに相関関係にある。これらを相関グループ１、相関グループ２、相関グループ３として纏めると、図４の中程に示すものとなる（相関グループが前述したグループに相当する）。相関関係にない試験項目は無相関の試験項目として相関グループの右側に示している。即ち、試験項目Ｂ、Ｅ、Ｇ、Ｍ、Ｑ、Ｕ、Ｖである。さらに、図４の中程には不良率と試験時間および個別指標を各試験項目に対応する形でそのまま示している。相関グループ内のそれぞれの試験項目に対する個別指標を加算して総合指標とし、その値も示している（グループの総合指標は、前述のグループ指標に相当する）。また、無相関の試験項目の総合指標は個別指標の値をそのまま総合指標としている。
【００３５】
次に、総合指標の値の大きなものから並べる。その結果は、相関グループ２、相関グループ１、試験項目Ｅ、相関グループ３、試験項目Ｂ、以下試験項目Ｕ、Ｑ、Ｍ、Ｇの順となる。さらに、相関グループの中では各試験項目の個別指標の大きい順に並べる。このようにして求めた順序が図４の最下部に示した決定順序である（決定順序は、左より右方向に向かって順次試験されることを示している）。
【００３６】
このようにすることにより、相関性のある試験項目を纏まって試験できるので、より合理的に試験の実施が行え、スループットを向上させることができる。
【００３７】
次に、再試験の順序の決定方法について述べる。再試験は、図４で示した決定順序で試験した後に、特定の試験項目で不良となったデバイスに対して再試験を行うものである。特定の試験項目は、図４の上部の試験項目で網かけで示したものである。即ち、試験項目Ｇ、Ｋ、Ｌ、Ｔ、Ｕが特定の試験項目である。担当者によって、この特定の試験項目が指定されると、この指定された試験項目を再試験グループとし、再試験の試験順序の先頭に置く。そしてそれ以降の順序は、特定の試験項目を除いた相関グループと無相関の試験項目との総合指標を求め、この総合指標の大きなものから順番に並べる。このようにして順序付けられたものが図５である。図５の相関グループ２の中の試験項目には特定の試験項目がないので相関グループ２は図４と同じ試験項目で構成されている。相関グループ１と相関グループ３には特定の試験項目を含んでいるのでそれらが除かれて総合指数が小さくなり、単独の試験項目である試験項目Ｅの方が順序が先になっている。
【００３８】
不良確率の高い再試験グループの試験項目から先に試験を行うので、効率的に試験を行うことができる。
【００３９】
次に、図４で説明した試験順序決定を図６のフローで説明する。図６ではパイロット試験を行って、不良率と試験時間とを求めることも示している。
【００４０】
先ず、被試験デバイスの中からパイロット試験用のデバイスをサンプルとしてｎ個取り出す。このｎ個のサンプルに対しては全ての試験項目を実施し、不良率と試験に要した時間とを計測する。計測した結果（即ち、パイロットデータ）は、外部記憶１３０に格納して置く（Ｓ１００、Ｓ１１０）。
【００４１】
外部記憶１３０に格納された各試験項目に対する不良率と試験時間とを基に、前述した個別指標（不良率×１０／試験時間）の値を計算する。計算した個別指標を外部記憶１３０の試験項目に対応して格納する。（Ｓ１２０）。
【００４２】
続いて、試験担当者によって指定された相関関係のある試験項目をグルーピングする。グルーピングにおいて外部記憶１３０に格納された各試験項目にグループを識別するグループ番号を与えておく（Ｓ１３０）。
【００４３】
グルーピングされたグループ内の個別指標を加算し、グループの総合指標とする。これをグループ毎に求め、外部記憶１３０に格納する（Ｓ１４０）。
【００４４】
グルーピングされなかった単独の試験項目については個別指標を総合指標とし、グループの総合指標を含めて総合指標を比較し、総合指標の大きい順に並べる。これにより、グループと単独の試験項目とが順序付けられる。次いで、それぞれのグループ内においてグループ内の試験項目の個別指標を大きい順に並べ、グループ内の順序を決定する。決定した順序を外部記憶に格納する（Ｓ１５０、Ｓ１６０）。
【００４５】
次に、図６のフローで外部記憶装置１３０に格納されたデータ例を説明する。図７に示すデータ例は、「試験項目」をキーとして「不良率」、「試験時間」、「個別指標」、「グループ」、「総合指標」、「順序」、「特定項目」を含むフィールドで構成している。例えば、試験項目Ａでは、不良率は２％、試験時間は１秒、個別指標は２０、グループ１に属し、グループ１の総合指標は８０、決定された試験順序は８番目である。
【００４６】
「特定項目」は図６のフローでは出てこなかったが、再試験の順序を決めるときに試験担当者から指定されたもので、「１」は特定の試験項目で「０」は特定ではない試験項目であることを示している。即ち、試験項目Ａは非特定の試験項目である。また、グループのフィールドの「０」は相関関係のない単独の試験項目であることを示している。
【００４７】
相関関係にある試験項目を試験担当者に指定させる方法は、例えば全ての試験項目を出力装置２００に表示し、その中から担当者に選択させるようにすれば良い。また、特定の試験項目についても同様にして指定させることができる。
【００４８】
以上の実施例に関し、さらに以下の付記を開示する。
（付記１）
試験対象のデバイスを定められた試験項目の順序で試験し、不良と判定された段階で該デバイスを棄却する試験順序決定方法であって、
それぞれの試験項目に対する不良率と試験時間とに基づいて、試験順序を判定する個別指標を該試験項目毎に求める個別指標算出手順と、
全ての試験項目の中から相関関係にある試験項目が指定され、該指定された試験項目をグループ化するグルーピング手順と、
前記グループ内の試験項目の個別指標を基に、グループとして試験順序を判定するグループ指標を該グループ毎に求めるグループ指標算出手順と、
前記グループに対してはグループ指標を、グルーピングされなかった試験項目に対しては個別指標を基に該グループと該グルーピングされなかった試験項目とを混在して試験順序を決定し、該グループ内の試験項目に対しては該個別指標により試験順序を決定する試験順序決定手順と
を有することを特徴とする試験順序決定方法。
（付記２）
前記試験項目に対する前記不良率と前記試験時間は、試験対象のデバイスから所定数を取り出し、全ての試験項目に対して試験を行った結果のパイロットデータである、
ことを特徴とする付記１記載の試験順序決定方法。
（付記３）
試験対象のデバイスを定められた試験項目の順序で試験し、不良と判定された段階で該デバイスを棄却する試験順序決定装置であって、
それぞれの試験項目に対する不良率と試験時間とに基づいて、試験順序を判定する個別指標を該試験項目毎に求める個別指標算出手段と、
全ての試験項目の中から相関関係にある試験項目が指定され、該指定された試験項目をグループ化するグルーピング手段と、
前記グループ内の試験項目の個別指標を基に、グループとして試験順序を判定するグループ指標を該グループ毎に求めるグループ指標算出手段と、
前記グループに対してはグループ指標を、グルーピングされなかった試験項目に対しては個別指標を基に該グループと該グルーピングされなかった試験項目とを混在して試験順序を決定し、該グループ内の試験項目に対しては該個別指標により試験順序を決定する試験順序決定手段と、
を有することを特徴とする試験順序決定装置。
（付記４）
前記試験順序決定装置のコンピュータを、
試験対象のデバイスを定められた試験項目の順序で試験し、不良と判定された段階で該デバイスを棄却する試験順序決定装置の試験順序決定プログラムであって、
前記試験順序決定装置のコンピュータを、
それぞれの試験項目に対する不良率と試験時間とに基づいて、試験順序を判定する個別指標を該試験項目毎に求める個別指標算出手段と、
全ての試験項目の中から相関関係にある試験項目が指定され、該指定された試験項目をグループ化するグルーピング手段と、
前記グループ内の試験項目の個別指標を基に、グループとして試験順序を判定するグループ指標を該グループ毎に求めるグループ指標算出手段と、
前記グループに対してはグループ指標を、グルーピングされなかった試験項目に対しては個別指標を基に該グループと該グルーピングされなかった試験項目とを混在して試験順序を決定し、該グループ内の試験項目に対しては該個別指標により試験順序を決定する試験順序決定手段、
として機能させるための試験順序決定プログラム。
（付記５）
試験対象のデバイスを定められた試験項目の順序で試験し、特定の試験項目で不良と判定された場合のデバイスは再試験を行い、特定以外の試験項目で不良と判定された場合は棄却する試験順序決定方法であって、
前記試験対象の全てのデバイスに対して実施する試験の順序を決定する通常試験順序手順と再試験対象のデバイスに対して実施する試験の順序を決定する再試験順序手順とを有し、
前記通常試験順序手順は、
それぞれの試験項目に対する不良率と試験時間とに基づいて、試験順序を判定する個別指標を該試験項目毎に求める個別指標算出手順と、
全ての試験項目の中から相関関係にある試験項目が指定され、該指定された試験項目をグループ化するグルーピング手順と、
前記グループ内の試験項目の個別指標を基に、グループとして試験順序を判定するグループ指標を該グループ毎に求めるグループ指標算出手順と、
前記グループに対してはグループ指標を、グルーピングされなかった試験項目に対しては個別指標を基に該グループと該グルーピングされなかった試験項目とを混在して試験順序を決定し、該グループ内の試験項目に対しては該個別指標により試験順序を決定する試験順序決定手順とからなり、
前記再試験順序手順は、
全ての試験項目の中から特定の試験項目が指定され、該指定された試験項目を再試験グループとし、該特定の試験項目以外の試験項目について前記グルーピング手順でグルーピングを行う再試験グルーピング手順と、
前記再試験グループを除いたグループに対し、前記グループ指標算出手順を実施し、該再試験グループを試験順序の先頭とし、該再試験グループを除いたグループとグルーピングされなかった試験項目とに対し前記試験順序決定手順を実施し、該再試験グループ内の試験項目に対しては該個別指標により試験順序を決定するする再試験順序決定手順とからなる、
を有することを特徴とする試験順序決定方法。
（付記６）
前記個別指標は、それぞれの試験項目に対する前記不良率と前記試験時間の逆数との積とし
前記グループ指標は、前記グループ内のそれぞれの試験項目の前記個別指標の加算値とする、
ことを特徴とする付記１記載の試験順序決定方法。
（付記７）
前記試験順序決定手順は、前記個別指標の値および前記グループ指標の値が大きなものから試験順序を決定する
ことを特徴とする付記１記載の試験順序決定方法。
（付記８）
前記試験順序決定手順と前記再試験順序決定手順とは、前記個別指標の値および前記グループ指標の値が大きなものから試験順序を決定する、
ことを特徴とする付記６記載の試験順序決定方法。
【図面の簡単な説明】
【００４９】
【図１】第１の発明の原理図である。
【図２】第５の発明の原理図である。
【図３】全体の構成例である。
【図４】試験項目の順序決定例である。
【図５】再試験の場合の試験項目の順序決定例である。
【図６】試験順序決定のフロー例である。
【図７】外部記憶に格納したデータ例である。
【図８】パイロット試験による試験項目別の不良データ例である。
【図９】従来のデバイス試験例である。
【図１０】試験項目と相関関係のデータ分布例である。
【符号の説明】
【００５０】
１        通常試験順序手順
２        再試験順序手順
１０      個別指標算出手順
２０      グルーピング手順
３０      グループ指標算出手順
４０      試験順序決定手順
５０      再試験グルーピング手順
６０      再試験順序決定手順
１００    試験装置
１１０    制御装置
１２０    試験順序決定プログラム
１３０    外部記憶装置
１４０    測定装置
２００    出力装置
３００    入力装置
４００    被試験デバイス
【図１】
0004677947.tif 000002
【図２】
0004677947.tif 000003
【図３】
0004677947.tif 000004
【図４】
0004677947.tif 000005
【図５】
0004677947.tif 000006
【図６】
0004677947.tif 000007
【図７】
0004677947.tif 000008
【図８】
0004677947.tif 000009
【図９】
0004677947.tif 000010
【図１０】
0004677947.tif 000011